Podtech/llm-jp-corpus-v4-ja_patent huggingface dataset:
(57)【要約】      （修正有）【課題】球面ころの研磨において、砥石交換時に行う馴染工程の時間短縮を可能とする砥石を提供する。【解決手段】「球面ころ」の横幅の曲面に似せ、砥石先端を削り取り加工することで、砥石と「球面ころ」との密着性を向上させる。【選択図】図１
2020089962.tif 000002
【特許請求の範囲】
【請求項１】
ローラーベアリングのローラー（ころ）の仕上げ研磨に用いる砥石において、被研削物に接する側の砥石の先端に、被研削物の回転方向の断面がＶ型或はＵ型をしており、横幅方向に「ころ」の曲率と等しい又は近い曲率を有するＶ型或はＵ型の加工が施されたことを特徴とする仕上げ用砥石。
【請求項２】
Ｖ型の形状に於いて、Ｖ型の角度は７０度から１７０度が望ましい。
【請求項３】
Ｕ型の形状において、半径は「ころ」の端部の半径から中央部の半径の間の径が望ましい。
【発明の詳細な説明】
【技術分野】
【０００１】  本発明は、研磨砥石が被研削物の形状に早く馴染むことを目的として、先端に加工を施した砥石と施す加工形状に関するものである。
【背景技術】
【０００２】  ローラーベアリングの「ころ」の研磨に用いる砥石の先端は、砥石が早く「ころ」の形に馴染むよう、砥石の端面にＶ或はＵ形状に削り取る加工をしてある。従来のこれらの加工は、砥石の端面にＶ或はＵ形状に削り取る加工を直線的に施すだけであり、胴体部分が直線的な形状を持つ「ころ」では問題がないが、緩い曲線を持つ太鼓型の「球面ころ」の場合、端部では形状に馴染ますために時間がかかり生産性を落としており、生産性向上のため馴染み時間の短縮が望まれている。
【発明の概要】
【発明が解決しようとしている課題】
【０００３】  解決しようとしている課題は、緩い曲線を持つ球面ころでは、砥石がローラーの形状に馴染む時間が中央部と端部で異なり、砥石全体が「ころ」の形状に馴染みまで時間がかかることである。つまり、「ころ」の中央部は馴染み工程の最初から砥石に当たっており、その部分の砥石は早くころ形状に馴染むが、端部は中央部よりも直径が小さいため、馴染み工程の初期には中央部に比べて砥石から少し離れているため形状に馴染むのに時間がかかることから、全体として馴染み時間が長くなる。
【課題を解決するための手段】
【０００４】  本発明は、砥石の端面に施すＶ型或はＵ型の刻み形状を、砥石幅方向に対して、直線ではなく「ころ」の形状に似せ曲線的に施すことで「球面ころ」の端部でも中央部と同じように馴染ますことを特徴とする。
【発明の効果】
【０００５】  砥石中央部と、端部で同時に砥石に接触することで直線的な加工に比べて短時間で砥石が「ころ」の形状に馴染み、馴染み時間の短縮が図れる。
【発明を実施するための形態】
【０００６】  本発明に係る砥石の実施形態を、図１を用いて説明する。図１は本発明に係る砥石の実施形態を説明する図である。図に示す砥石は端面にＶ又はＵ型に削り取る加工をしているが、底面の形状は従来の直線ではなく、点線で示す様に「球面ころ」が持つ曲線に近い曲線形状をしている。
実施例１
【０００７】  図２に実施例を示す。（ａ）はＶ型、（ｂ）はＵ型にとれぞれ砥石の端面を削り取る加工を施している。
【図面の簡単な説明】
【０００８】
【図１】本発明による砥石先端の形状
【符号の説明】１１        曲率ａの曲線を持つ球面ころ
１２        砥石
【図１】
2020089962.tif 000003
【図２】
2020089962.tif 000004
(57)【要約】【課題】  生キクラゲを用いた麺を提供する。【解決手段】  収穫したキクラゲの子実体をスライサーで細断し、細断した前記キクラゲの子実体を、殺菌効果を有する水溶液で洗浄し、真空パックしたものを麺商品として提供する。【選択図】      なし【特許請求の範囲】
【請求項１】
収穫したキクラゲの子実体をスライサーで細断し、
細断した前記キクラゲの子実体を、殺菌効果を有する水溶液で洗浄し、真空パックしたものを麺商品として提供することを特徴とする生キクラゲの加工食品。
【発明の詳細な説明】
【技術分野】
【０００１】
本発明は、生キクラゲを細断して製造した麺状の加工食品に関する。
【背景技術】
【０００２】
キクラゲは、麺料理のトッピングや中華料理などの材料として広く使用されているものの、キクラゲ自体他のキノコと比較して独特の風味が感じられ難い食材であることから、あくまでも添え物や材料の一つとして用いられることが多く、キクラゲそのものに焦点があてられる料理は少ない。
【０００３】
一方、文献１では、ハナビラタケやキクラゲをスライス状やブロック状、粉末状に加工したものを用いて各種調理や加工食品を提供する発明が開示されており、具体的な用途として乳製品の具材や、麺類の材料などが挙げられているものの、使用されているハナビラタケやキクラゲは、菌核と呼ばれる部位を使用しており、世間一般で言うキノコである子実体を用いていない。
【先行技術文献】
【特許文献】
【０００４】
【特許文献１】特開２００９−０５０１９２号公報
【発明の概要】
【発明が解決しようとする課題】
【０００５】
本発明は上記事情に鑑み、生キクラゲの子実体を細断したものをそのまま麺類のようにして食べることができる、生キクラゲの加工食品を提供する。
【課題を解決するための手段】
【０００６】
収穫したキクラゲの子実体をスライサーで細断し、細断した前記キクラゲの子実体を、殺菌効果を有する水溶液で洗浄し、真空パックしたものを麺商品として提供することを特徴とする。
【発明の効果】
【０００７】
本発明によれば、生キクラゲの子実体を細断したものは麺類のような見た目となり、スープに絡ませて共に食べることで、あたかもラーメンのような食感の麺料理として生キクラゲそのものを食べることができる。また、通常の麺は小麦粉を使用しているが、本発明ではキクラゲそのものが麺となっているため、摂取カロリーを低く抑えることができ、健康美を保つダイエット食品としても好適である。さらに、キクラゲはビタミンＤや鉄分をはじめとする栄養素を豊富に含んでいるため、本発明を通じてこのような栄養を摂取することもできる。加えて、子実体を細断した後に殺菌効果を有した水溶液を用いて洗浄し、真空パック詰めすることで、子実体に付着した雑菌等を除去して、かつ繁殖も防ぎ、衛生的に安全な食品として提供できる。
【発明を実施するための形態】
【０００８】
以下より、本発明の生キクラゲを用いた麺について説明する。
まず、収穫したキクラゲの子実体２００ｇをスライサーで幅２〜４ｍｍに細断する。その後、細断したキクラゲの子実体を、殺菌効果を有した微酸性電解水で洗浄する。この時使用する微酸性電解水とは、食品へ臭気が付き難く、且つ、様々な微生物に対して殺菌効果があるため一般的に使用されている殺菌料の一つである。この微酸性電解水によって殺菌処理を施されたキクラゲの子実体は、真空パック詰めされた後、冷凍庫で保管される。
【０００９】
次に、上述したように加工されたキクラゲの子実体を麺食品に調理して食べる際の実施例を説明する。本実施例において、調理する麺食品はラーメンを選択する。
まず、細断されたキクラゲ２００ｇを沸騰したお湯で１０〜３０秒茹でる。その後、沸騰したお湯２００〜３００ｍｌを用いて作ったスープへ、水分を切ったキクラゲを投入し、通常のラーメンのようにメンマやネギ等のトッピングを乗せれば完成である。
【００１０】
このようにキクラゲの子実体を細断して麺のように形成することで、それを麺として用いればラーメンのような麺料理を調理することが可能となる。また、通常の麺と異なり小麦粉を使用していないため、麺の茹で時間は実施例のように１０〜３０秒程度の短時間で良く、通常のラーメンを調理する際よりも調理時間を短縮できる上に、摂取カロリーも低く抑えることもできる。このため、通常の麺を本発明の麺に置き換えた麺料理とすることで、ダイエット効果も期待できる。
【００１１】
また、キクラゲは一般的に子実体を乾燥させた「乾燥キクラゲ」が主に流通しているため、収穫したての子実体である「生キクラゲ」の食感を味わえる機会が少ない。一方、本発明によれば生キクラゲそのものを麺料理として食べることができるため、乾燥キクラゲのコリコリした食感とは全く異なった、生キクラゲ特有のプリッとした食感を味わうことができる。加えて、本発明は生キクラゲを用いているため、乾燥キクラゲのようにキクラゲの子実体を乾燥させる手間を省くことができる。
【００１２】
キクラゲをはじめとするキノコ類を用いて製造した加工食品に係る発明は、文献１のように菌核または子実体を細断や粉砕等によりスライス状や粉末状に成形したものを小麦粉や乳製品等に混和させたり、子実体や菌核から抽出したエキスを既存の食材に添加したりするものが多くみられる。本発明では、キクラゲの子実体を細断する以外には他の加工を要しないことから、前述したようにキクラゲの子実体そのものを麺として食べることを特徴としており、他の発明のようにキクラゲと何らかの食材を混和させて製造する食品とは異なった、「キノコ（キクラゲ）の麺」という全く新しい食品を提供することができる。
【００１３】
さらに、キクラゲは他のキノコ類と比べて、より豊富なビタミンＤや鉄分、カルシウムなど様々な栄養素を含んでいることが広く知られており、キクラゲを他の料理より多く食べることができる本発明であれば、他のキノコ類を用いた料理よりも豊富な栄養素をより多く摂取することができる。
【００１４】
また、キクラゲ等の菌核を用いている文献１の発明では、菌核の形状が塊状であることから、団扇のように厚みが無く表面積が広い形状である子実体よりも真菌類や細菌類のような雑菌の付着等が起こりにくいとしている。本発明のキクラゲは子実体を用いており塊状の菌核よりも雑菌が付着し易い虞があるが、細断したキクラゲの子実体を殺菌料である微酸性電解水で洗浄し、その後真空にて保存しているため、雑菌の付着や繁殖を抑えることができる。
【００１５】
本実施例において、細断したキクラゲの子実体は幅２〜４ｍｍとしていたが、生キクラゲの食感を味わうためにより細くあるいは太くすることも可能である。また、麺料理は、ラーメンだけでなくうどんやパスタ等としても調理可能である。
(57)【要約】      （修正有）【課題】宮崎県の特産品である大根漬物や生大根を原料にした、美味しく手軽に喫食出来る食品、及び、その製造方法の提供。【解決手段】組織がパフ化して、フワフワ、サクサクとした食感である大根の薄切りフライ。沢庵漬け製造の成形工程において、規格外として切除された端材を、四つ割り後１ｍｍスライスの銀杏切りにして、凍結した物を原料とする。該冷凍原料を加温解凍し、乳糖溶液中に投入して、加熱混合しながら水気が無くなるまで加熱する。加熱した物に米粉を混合して、植物油で揚げ、揚げた物を遠心分離機で脱油する工程からなる、前記大根の薄切りフライの製造方法。【選択図】なし【特許請求の範囲】
【請求項１】
組織がパフ化して、フワフワ、サクサクとした食感である事を特徴とする大根の薄切りフライ。
【請求項２】
請求項１の大根の薄切りフライで、大根漬物の端材を原料に用いた製造方法。
【請求項３】
請求項１の大根の薄切りフライで、生大根を原料に用いた製造方法。
【請求項４】
請求項２及び請求項３の大根の薄切りフライに調味料等で味付けした製品。
【発明の詳細な説明】
【技術分野】
【０００１】
本発明は、組織がパフ化して、フワフワ、サクサクとした食感である事を特徴とする大根の薄切りフライ及びその製造方法に関するものである。
【０００２】
この大根の薄切りフライは、極めて小さな多数の気泡を有するスポンジ状の組織（所謂パフの状態）で、また、フワフワ、サクサクとした食感が特徴である、従来に無い全く新規の美味しく手軽に喫食出来る食品を提供する事を目的として開発された。
【背景技術】
【０００３】
ポテトチップスに代表される従来の野菜の薄切りフライは、大部分の物で緻密な組織若しくは大きな気泡を含んだ組織をしており、パリパリ、サクサクとした食感をしている。
【０００４】
従来の野菜の薄切りフライの製造方法は、野菜をスライスや短冊切り等の薄切りにして、そのまま若しくは加熱して調味や糖置換等の前処理後に常圧若しくは減圧でフライする方法である。また、フライ後に調味料等で味付けをする薄切りフライもある。
【０００５】
ポップコーンやポン菓子に代表される従来のパフ系の菓子類は、パフ化した組織で、フワフワとした食感をしている。
【０００６】
従来のパフ系の菓子類の製造方法は、乾燥したトウモロコシ、米、玄米並びに小麦等の穀物を原料にして、油脂で炒ったり、パフガンやエクストルーダー等で加圧加熱しパフ化させ、その後味付けや整形して作られている。
【０００７】
鋭意研究の結果、従来には無い、全く新規の大根の薄切りフライを発明する事に成功した。この大根の薄切りフライは、野菜類の薄切りフライであるにも関わらず組織がパフ化しており、また、フワフワ、サクサクとした食感を特徴とする。
【先行技術文献】
【特許文献】
【０００８】
見当たらず。
【非特許文献】
【０００９】
見当たらず。
【発明の概要】
【発明が解決しようとする課題】
【００１０】
まず、野菜を美味しく手軽に喫食出来ないかと検討し、そこで野菜のスナック菓子を調査し、既存にポテトチップスのような薄切りフライ品やポン菓子類があると分かった。
【００１１】
宮崎県は、全国でも有数の大根の産地で、漬物や干し大根も多く生産されている。そこで、大根漬物の端材や生大根を原料にして美味しく手軽に喫食出来る食品を開発しようと研究を実施した。
【課題を解決するための手段】
【００１２】
鋭意研究の結果、大根漬物の端材や生大根を原料にした薄切りフライで、パフ化した組織で、フワフワ、サクサクとした食感の美味しく手軽に喫食出来る新規の食品を発明するに至った。
【発明の効果】
【００１３】
この大根の薄切りフライは、野菜類の薄切りフライであるにも関わらず組織がフワフワ、サクサクとした食感で、美味しく手軽に喫食出来る事を特徴とする。
【実施例１】
【００１４】
代表的な大根漬物の一つである沢庵漬けは、一般的に大根→塩漬け→洗浄→脱塩→圧搾→冷凍保管→整形→本漬け→カット→包装の工程等で製造されている。この工程の整形時に大根の細い部分等の規格外の部分が切除される。
【００１５】
整形工程で切除された端材を四つ割り後１ｍｍスライスの銀杏切りにして、凍結した物を原料に供する。
【００１６】
上記の冷凍原料１００ｇを加温解凍する。
【００１７】
お湯６２ｇに乳糖６〜１２ｇを溶かす。
【００１８】
上記の乳糖溶液に原料１００ｇを投入し、加熱混合しながら水気が無くなるまで加熱する。
【００１９】
上記の加熱した物に米粉８〜１２ｇを混合する。
【００２０】
上記の米粉を混合した物を１リットルの約１４０℃の植物油で揚げる。
【００２１】
上記の揚げた物を遠心分離機で脱油し、完成品４０ｇが得られる。
【００２２】
尚、００１７のお湯がかつおだし等の調味液でも良く、また、００２１の完成品に調味料をまぶして仕上げても構わない。
【実施例２】
【００２３】
生大根６００ｇを四つ割り後２ｍｍスライスの銀杏切りにする。
【００２４】
上記の銀杏切りにした大根を０．３％のクエン酸水溶液１リットルに一夜浸漬する。
【００２５】
上記の浸漬した大根を水切りし、凍結する。
【００２６】
上記の冷凍大根を水に入れ解凍し、大根を搾り水気を切り再度凍結する。
【００２７】
上記の冷凍大根を水に入れ再度解凍し、大根を搾り水気を切り１００ｇを得る。
【００２８】
お湯６２ｇに乳糖６〜１２ｇを溶かす。
【００２９】
上記の乳糖溶液に００２７で得られた大根１００ｇを投入し、加熱混合しながら水気が無くなるまで加熱する。
【００３０】
上記の加熱した物に米粉８〜１２ｇを混合する。
【００３１】
上記の米粉を混合した物を１リットルの約１４０℃の植物油で揚げる。
【００３２】
上記の揚げた物を遠心分離機で脱油し、完成品５４ｇが得られる。
【００３３】
尚、００２８のお湯がかつおだし等の調味液でも良く、また、００３２の完成品に調味料をまぶして仕上げても構わない。
【実施例３】
【００３４】
生大根を四つ割りにし１ｍｍスライスの銀杏切りにした後、米粉をまぶし植物油で揚げ、脱油した物を対照区にした。
【００３５】
対照区と実施例１並びに実施例２で出来た区を三名のモニターで官能比較した。
【００３６】
その結果、対照区は緻密な組織でパリパリした硬い食感であったが、実施例１と実施例２で得られた物は、極めて小さな多数の気泡を有する組織でフワフワ、サクサクとした、対照区とは全く異なる組織、食感である事が確認できた。
(57)【要約】      （修正有）【課題】常温の環境でミネラル水にたんぱく質を有するマルチビタミン等の栄養成分を混合する事が可能なウォーターサーバーを提供する。【解決手段】ウォーターサーバー６の温水・冷水其々の蛇口５の一部に其々１つの突起孔を設け、点滴で使用される構造と同様のベルヌーイの流体力学の原理により、マルチビタミン等の栄養液２を保存するパウチ１と混入する量を制御するクレンメ３を設け、温水又は冷水の其々の蛇口に設けた突起孔へ導くルート菅４によりマルチビタミン等の栄養液を必要量に応じて水の流出と同時に混合しコップ９へと流入する事で、本来ミネラル水に含有するミネラル成分と同時にマルチビタミン等の栄養を摂取できる事を可能とした。【選択図】図１
2020200107.tif 000002
【特許請求の範囲】
【請求項１】
本発明は、パウチ１の中に液体栄養剤を充填２、クレンメ３、ルート菅４、蛇口５が連結し、ウォーターサーバー本体６にパウチを掛けるフック７を接着材等で固定しパウチ１を掛け、クレンメ２により、ミネラル水に混合する液体栄養剤２の分量を選択しコップ８に注ぎ入れる事を可能としている。
【発明の詳細な説明】
【発明の詳細な説明】
【技術分野】
【０００１】本発明は、真水とマルチビタミン等の栄養補給をも容易に摂取できるウォーターサーバーに関する。
【背景技術】
【０００２】ウォーターサーバーは、ミネラル水を入れたボトルより加熱手段によって温水になり、また、冷却手段により冷水が飲める事が可能としている。
このように容易に温水、冷水が選択でき更には、水道水に使用される塩素等も含まず天然に近い状態のミネラル水を飲めるウォーターサーバーは今や、家庭、会社、病院等多くの分野で普及している。
【先行技術文献】
【特許文献】
【０００３】
【特許文献１】特開２０１９−０６９８１５
【発明の概要】
【発明が解決しようとする課題】
【０００４】従来のミネラルサーバーは、塩素を含有する事無く健康に良い良質な水を飲む事は出来るものの、マルチビタミン等の、体に有用な栄養を摂る事は出来ない。【０００５】また、常温の環境でミネラル水にたんぱく質を有するマルチビタミン等の栄養成分は常温の水に過日混合すると腐敗してしまいミネラル水のタンクに混合する事は出来ない。【０００６】そこで、本発明は、ウォーターサーバーの温水・冷水其々の蛇口の一部に其々１つの突起孔を設け、点滴で使用される構造と同様、ベルヌーイの流体力学の原理により、マルチビタミン等の栄養液を保存するパウチと混入する量を制御するクレンメを設け、温水又は冷水の其々の蛇口に設けた突起孔へ導くルート菅によりマルチビタミン等の栄養液を必要量に応じて水の流出と同時に混合しコップへと流入する事で、本来ミネラル水に含有するミネラル成分と同時にマルチビタミン等の栄養を摂取できる事を可能としたものである。【０００７】本発明は、ウォーターサーバーの本体に接着したフックに当該パウチに事前に加工した孔に掛け、当該パウチと、当該クレンメ、レール菅そして蛇口が一体化しており清潔且つ容易に使用する事を可能としている。
【課題を解決するための手段】
【０００８】上記目的を達成するため先ず、当該パウチの差込口に医療用のシリコンゴム栓を用い、クレンメには０＝真水、１ｍｇ、３ｍｇ、５ｍｇの４段階で真水からビタミン等の栄養成分を混合させ補える事を可能としている【０００９】また、ビタミン類等の栄養成分のみならず、本発明により美容の為の服用成分や、水溶性ミネラル成分等、或いは、ポルフェノール群等を充填でき様々な用途に使用が可能である。
【発明の効果】
【００１０】本発明は、ウォーターサーバーの温水・冷水其々の蛇口の一部に其々１つの突起孔を設け、点滴で使用される構造と同様、ベルヌーイの流体力学の原理により、マルチビタミン等の栄養液を保存するパウチと混入する量を制御するクレンメを設け、温水又は冷水の其々の蛇口に設けた突起孔へ導くルート菅によりマルチビタミン等の栄養液を必要量に応じて水の流出と同時に混合しコップへと流入する事で、本来ミネラル水に含有するミネラル成分と同時にマルチビタミン等の栄養を摂取できる事を可能としたものである。
【図面の簡単な説明】
【００１１】
【図１】ウォーターサーバーとパウチ、クレンメ、ルート菅、蛇口の部分図
【発明を実施するための形態】
【００１２】本発明は、パウチ１の中に液体栄養剤を充填２、クレンメ３、ルート菅４、蛇口５が連結し、ウォーターサーバー本体６にパウチを掛けるフック７を接着材等で固定しパウチ１を掛け、クレンメ２により、ミネラル水に混合する液体栄養剤２の分量を選択しコップ８に注ぎ入れる事を可能としている。
【符号の説明】
【００１３】１：パウチ  ２：液体栄養剤  ３：クレンメ  ４：ルート菅  ５：蛇口突起孔  ６：ウォーターサーバー本体  ７：フック  ８：クレンメ保護カバー  ９：コップ
【図１】
2020200107.tif 000003
(57)【要約】【課題】  活動する時、品物を落とすことがないように、ファスナー付き小物入れを手袋に固定すると共に、活動時は手袋内に小物入れを収納できるようにした。また、小物入れの小指側を細く窄めることで、小物入れ内での品物の動きを抑え、品物どうし当たることを少なくなるようにした。このような特徴を有する小物入れ付き手袋を提供する。【解決手段】  ファスナー（１）付き小物入れ（２）の一部を手袋（３）に固定すると共に、ファスナー（１）付き小物入れ（２）の小指側を細く窄めた小物入れ付き手袋を特徴とする。【選択図】図１
2020200566.tif 000002
【特許請求の範囲】
【請求項１】
ファスナーが付き小指側を細く窄めた形の小物入れの一部を、手袋に固定した小物入れ付き手袋。
【発明の詳細な説明】
【技術分野】
【０００１】  この発明は、ファスナーが付き小指側を細く窄めた形の小物入れの一部を手袋に固定した小物入れ付き手袋に関するものである。
【背景技術】
【０００２】  従来の小物入れ付き手袋は、小物入れにファスナーが付いていなかったり、ファスナーが付いていたとしても手袋の外側に小物入れを貼り付けたものだった。また、小物入れの形状については、活動する時の収納物の動きを意識したものではなかった。
【先行技術文献】
【特許文献】
【０００３】
【特許文献１】公開実用昭和６３−１０２７１７
【発明の概要】
【発明が解決しようとする課題】
【０００４】  従来のものには、次のような欠点があった。
（イ）ファスナーのない小物入れ付き手袋は、活動時に収納物を落としてしまう危険性が高かった。
また、ファスナーが付いていたとしても、手袋の外側に小物入れを付けたものは、小物入れの一部を破損した時に落としてしまう危険性があった。
（ロ）小物入れの形状については、従来のものは活動時に収納物が袋内で自由に動いてしまう形状だったため、ぶつかり合い、音を出していた。
本発明は、以上のような欠点をなくすためになされたものである。
【課題を解決するための手段】
【０００５】（イ）ファスナー（１）付き小物入れ（２）の一部を手袋（３）に固定し、手袋内部から小物入れを出したり入れたりできるようにした。
（ロ）ファスナー（１）付き小物入れ（２）の小指側を細く窄めた。
本発明は、以上の構成からなる小物入れ付き手袋である。
【発明の効果】
【０００６】（イ）小物入れの一部を手袋に固定したことについて
ファスナー付き小物入れを手袋に固定したことで、手袋内部から小物入れを出したり入れたりすることができるようになった。
収納したい物がある時は、手袋内部から出して使用し、活動中は手袋内に小物入れを入れて使用する。
万が一、活動中に小物入れやファスナーが破損したとしても、収納物が手袋内にとどまり、落とし失う危険性が大いに減少する。
（ロ）小物入れの形状について
活動時、手は親指側を上にすることが多い。
その結果、手袋内の収納物は重力によって小指側へ移動する。
小物入れの小指側を細く窄めることで、収納物は窄められた所で包まれるように固定され、動きを止めることになる。
【図面の簡単な説明】
【０００７】
【図１】  本発明の斜視図である。
【図２】  本発明の断面図である。
【発明を実施するための形態】
【０００８】  以下、本発明を実施するための形態について説明する。
（イ）ファスナー（１）付き小物入れ（２）の一部を手袋（３）の手首付近に固定する。
（ロ）ファスナー（１）付き小物入れ（２）の小指側を細く窄めた。
本発明は、以上のような構造である。
収納したい物がある時は、手袋内部から小物入れを出して収め、活動中は手袋内に小物入れを入れて使用すればよい。
【符号の説明】
【０００９】    １    ファスナー
２    小物入れ
３    手袋
【図１】
2020200566.tif 000003
【図２】
2020200566.tif 000004
(57)【要約】【課題】  この発明は、ワイシャツにネクタイ着用後、ネクタイが中央からずれるのを防止する事を課題とするものである。【解決手段】  構成としては、以下の通りである。  ワイシャツの衿台の外側のネクタイが接する部分に、ゴム、樹脂、またはそれに類する摩擦の大きい素材を取り付けるか、衿台の外側のネクタイが接する部分に、ゴムなど摩擦の大きい素材を混ぜたり表面に貼りつけたりした布など、摩擦の大きい布を用いる。【選択図】図１
2020200565.tif 000002
【特許請求の範囲】
【請求項１】
衿台の外側のネクタイと接する部分（ネックバンド）に、ゴムなどの摩擦が大きい素材を取り付けたワイシャツ。
【請求項２】
衿台の外側のネクタイと接する部分（ネックバンド）に、ゴムなど摩擦の大きい素材を混ぜたり表面に貼りつけたりした布など摩擦の大きい布を用いたワイシャツ。
【発明の詳細な説明】
【産業上の利用分野】
【０００１】  この発明は、ワイシャツに、ネクタイ着用時に、ネクタイが中央からずれるのを防止する機能を持たせるものである。
【従来の技術に於ける問題点】
【０００２】  ワイシャツ（カッターシャツやブラウスなど襟付きのシャツも含む）にネクタイを着用する場合、結び目は衿先の間の中央に置く。
しかし、着用後、時間が経つにつれ、頭を左右に動かす動作や、ネクタイの材質や縫製によってはネクタイの衿台の左右方向の摩擦抵抗の違いなどから一方向へ滑り、結び目が左右どちらかに寄ってしまい、見た目が悪くなる事が多々ある。
ネクタイが動かないようにきつく結ぶと首が窮屈であり、ピンなどで固定するのは手間がかかって面倒であったり、デザイン的にそぐわない事もある。
【本発明の目的】
【０００３】  本発明においては、通常の使用でネクタイのずれを抑えることのできるワイシャツを提供するものである。
【課題を解決するための手段】
【０００４】  構成としては、以下の通りである。
ワイシャツの衿台の外側（衿台とネクタイが接する部分、以下、「ネックバンド」とする）に、ゴム、樹脂、またはそれに類する摩擦の大きい素材（以下、「滑り止め」とる）を取り付ける（図１）。
または、ネックバンドに、ゴムなど摩擦の大きい素材を混ぜたり表面に貼りつけたりした布など、摩擦の大きい布を用いる（図２）。
【実施例および作用、効果】
【０００５】  使用法としては、従来通りにネクタイを巻くだけである。ネックバンドに取り付けられた滑り止め、または、摩擦の大きい布により、ネクタイの滑りが抑えられ、その結果結び目のずれが抑えられる。
【考察および発展】
【０００６】  実施の際には、ネックバンドの全面に滑り止めを設けるのは無駄であるので、ネクタイの滑りを止める事ができる最小限の滑り止めを、ネックバンドの一部に取り付ける事になる（図１）。一方で、ネックバンドに摩擦の大きい布などを用いると、縫製時に従来と同じ工程で製造できるため、製造工程に変更がない（図２）。
また、滑り止めの裏側に、粘着テープを設けたものや、アイロンによる熱で樹脂での溶着をできるものなどを用意・使用する事により、従来のワイシャツにも同様の機能を持たせることも可能である。
【図面の簡単な説明】
【０００７】
【図１】  滑り止めを取り付けたワイシャツの背面
【図２】  ネックバンドに摩擦の大きい布を用いた場合の背面
【符号の説明】
【０００９】１  は、衿
２  は、ネックバンド（衿台とネクタイが接する部分）
３  は、滑り止め（ゴム、樹脂、またはそれに類する摩擦の大きい素材）
【図１】
2020200565.tif 000003
【図２】
2020200565.tif 000004
(57)【要約】      （修正有）【課題】現在、年々高齢の自動車運転者が増加しアクセルとブレーキの踏み間違い事故が増加している。この踏み間違い事故を防止するため、左足ブレーキの啓発を促す方法にかかわるものである。【解決手段】運転者の意識に左足がブレーキであるとの視認効果、意識保持の為、表示板を運転席の正面に設置をなすものである。このことにより、左足はブレーキ専用であるとの認識が常時、保持されブレーキペダルの踏み間違いが減少し、安全運転につながるものである。【選択図】図２
2020200010.tif 000002
【特許請求の範囲】
【請求項１】
自動車の運転席の前面、又は前面ガラスなどの任意の位置、任意の形態、任意の装置，、その他、任意の方法により、左足がブレーキ、右足がアクセル、であることの視認を促す表示票、音声機器、足章、その他、任意の物品、事柄で常に啓発し意識保持を為す方法
【請求項２】
前述の左足でブレーキ操作を為す意識保持のために音声、音響、光源、センサーなどを用いた任意の認識保持方法
【発明の詳細な説明】
【技術分野】
【０００１】自動車運転時に於けるアクセル、ブレーキの認識保持の方法である
【技術分野】
【０００２】昨今、高齢者の自動車運転においてブレーキとアクセルの踏み間違いによる重大な事故が頻発をなし、社会問題化をなしている、この問題の一因として、右足一本でアクセルとブレーキの両方の操作を為すために、ペダルの踏み間違いを招く事に起因する、然るに過疎地の交通手段の無い地域では年齢に関係なく自動車運転が生きる為の必需の場合がある
特に高齢者の場合、長年の運転経験による過信、又、運転中であるとの危険意識が希薄になる傾向が生じる、これも大いなる事故要因を為すものである
【先行技術文献】
【特許文献】
【非特許文献】
【発明の概要】
【発明が解決しようとする課題】
【０００３】即ち、従来の右足一本でのアクセルとブレーキ踏み分け誤操作による暴走、及び踏み分け時の時間的遅れを解消せんとするものである、然るに、概、方法の左足をブレーキ専用に使うとなれば、長年の右足一本での操作習慣の運転者には、概、方法の左足がブレーキ専用の習得と、常時の認識意識保持の切り替えが大いなる課題になる、
【課題を解決するための手段】
【０００４】そこで、右足はアクセル専用、左足はブレーキ専用とする運転操作の認識の保持のため運転席のダッシュボード部、フロントガラス部など、任意の位置サイズで運転中に左足がブレーキ専用であるとの、啓発文言、認識視認保持盤、又、夜間用のライトと連動した認識点灯機器、音声機器などを設置する、この為、運転中は左足がブレーキ専用であるとのメッセージの警告が常に視認される状態が得られる、また左足にブレーキ、右足にアクセルと記載したエプロン，足章などを大腿、足首などに装着を為す方法も効果的と考えられる
【発明の効果】
【０００５】この為、特に高齢者、女性などの、パニック状態などで誘発される、咄嗟の運転ミスによるブレーキとアクセルの踏み間違いによる重大な事故の軽減が得られるものであり，なおアクセルとブレーキの踏み分け時の時間的な遅れが解消され安全運転に寄与する
【図面の簡単な説明】
【０００６】
【図１】本、発明の啓発文言記載の表示板の例
【図２】自動車運転席の前面に表示板を設置した例
【図３】運転者の膝上部に表示板を表示した例
【符号の説明】
【０００７】    １・・本、発明の啓発文言表示板
２・・自動車の運転席
３・・運転者の膝上部の啓発文言表示板
４・・運転者の膝
【図１】
2020200010.tif 000003
【図２】
2020200010.tif 000004
【図３】
2020200010.tif 000005
(57)【要約】【課題】大人になるとビデオゲームをしない人が増えてしまいます。【解決手段】大人にビデオゲームの楽しさ思い出してもらいます。【特許請求の範囲】
【請求項１】
店舗でアルコールを含む飲食物とビデオゲームソフトビデオゲームハードを同時に提供販売する
酩酊した顧客にビデオゲームを試遊させ販売促進をする方法及びアイディア
【請求項２】
店舗で（公序良俗違反につき、不掲載）を含む飲食物、乾燥物とビデオゲームソフトビデオゲームハードを同時に提供販売する（公序良俗違反につき、不掲載）にビデオゲームを試遊させ販売促進をする方法及びアイディア
【請求項３】
店舗で（公序良俗違反につき、不掲載）を含む飲食物、乾燥物を提供販売した後物品を販売する方法及びアイディア
【発明の詳細な説明】
【技術分野】
【０００１】本発明はビジネスモデルに関する。
【背景技術】
【０００２】ゲームショップはビデオゲームを販売しゲームバーはビデオゲームを利用してアルコールを含む飲食物を提供販売するものでした。
【発明の概要】
【発明が解決しようとする課題】
【０００３】児童はビデオゲームを好み遊びますが成人するとビデオゲームをしなくなります日本国の家庭用ビデオゲーム市場は２００７年の７１１４億円から２０１６年では３１４７億円に半減してしまいゲームショップの店舗数も減少しています。
ゲームバーはビデオゲームを利用してアルコールを含む飲食物を提供販売するだけでビデオゲームは販売しない為ビデオゲームを制作する企業の利益にはならないものでした
【課題を解決するための手段】
【０００４】ゲームショップとゲームバーを一つにし試遊機を設置、顧客が自由に遊べる状態を作り顧客を集め（公序良俗違反につき、不掲載）童心に帰らせビデオゲームの楽しさを思い出してもらいビデオゲームソフトビデオゲームハードの販売促進をします。
【発明の効果】
【０００５】ビデオゲームから離れた大人にビデオゲームの購入を促せます。
【発明を実施するための形態】
【０００６】店舗で顧客にアルコール、（公序良俗違反につき、不掲載）を含む飲食物乾燥物を提供販売する顧客が望むビデオゲームを無制限に試遊してもらい試遊終了後購入の可否を問う
(57)【要約】      （修正有）【課題】交通信号機が黄色信号に変わると、人や車が急いで通過しようとして危険を顧みず、スピードを上げて起こす事故を防ぐ交通信号機を提供する。【解決手段】自動車の運転手が黄色に変わった時、それ以上スピードを上げないようにするため、黄色信号の点灯と同時に、赤色信号を点滅させる。それにより一時停止と錯覚する瞬間に加速を思いとどまらせる事ができる。【選択図】図２
2020004351.tif 000002
【特許請求の範囲】
【請求項１】
黄色信号が点灯すると同時に赤色信号が点滅する交通信号機。
【発明の詳細な説明】
【技術分野】
【０００１】      本発明は、黄色信号が点灯すると同時に赤色信号が点滅し、一時停止と錯覚する瞬間に加速を思いとどまらせ、その後に赤色信号だけが点灯するようにした交通信号機である。
【背景技術】
【０００２】      現在の交通信号機は青色信号、黄色信号、赤色信号の三色で交通の流れを調整している。この三色の信号機の概念を応用し、黄色信号で加速した交差点への進入を防ぐことを目的に考案したものである。
【先行技術文献１】
【０００３】
【特許文献１】特開２０１８−０９３４５８  特許情報プラットフォーム
【発明の概要】
【発明が解決しようとする課題】
【０００４】    交通信号機が黄色信号に変わると、人や車が急いで通過しようとして危険を顧みず、スピードを上げて事故を起こしてしまう事がある。このようなことをなくすためにどうしたらよいかを考えたのが本案である。
【課題を解決するための手段】
【０００５】    自動車の運転手が黄色に変わった時、それ以上スピードを上げないようにするため、黄色信号の点灯と同時に、赤色信号を点滅させる。そうすると、黄色信号と同時に赤色信号が点滅して一時停止しなければいけないことになり、運転手が加速を抑えることにつながると考えられる。交差点の直前まで進んでいたとしても、急に赤色の信号が点滅したからといって、必ずしも一時停止しなければいけないわけではなく、黄色信号が点灯していて、安全に通過を促すことを目的にした。法律や教習所での周知徹底が必要であるが、一つの解決策として考案した。
【発明の効果】
【０００６】    自動車の運転手が黄色信号を見たときに同時に点滅する赤色信号を目にする事によって、一時停止をしなければいけないと感じ、この一瞬の判断により加速を思いとどまらせる事ができる。黄色信号が点灯したままなので、通過するまでは注意して通り過ぎる事ができる。
【図面の簡単な説明】
【０００７】
【図１】  今までの交通信号機と働きの図
【図２】  本案の交通信号機と働きの図
【０００８】    図１の今までの交通信号機では、青色信号の次に黄色信号が、その次に赤色信号が点灯するだけであった。【０００９】    図２の本案の交通信号機では、青色信号の次に、黄色信号が点灯すると同時に赤色信号が点滅をする。そして、そのあとに赤色信号だけが点灯するようにした信号機である。
【発明を実施するための形態】
【００１０】    法律や教習所での周知徹底をしてから、実施する事が必要である。
【実施例】
【００１１】    赤色信号が点灯した状態で右折、左折、直進の青色矢印の信号機が普及している。これと同じように、法律上、教習上の扱いをすることが必要である。
【図１】
2020004351.tif 000003
【図２】
2020004351.tif 000004
(57)【要約】      （修正有）【課題】カメラ撮影やＱＲコード（登録商標）読み取りにて容易に個人の病気や健康状態を入力し再現可能とするアプリを提供する。【解決手段】患者は、診察時に医師より診察室のモニター画面に画像や検査データ、サマリーなどを表示してもらい、これをスマートフォンのアプリを起動後にカメラにて撮影し、自動的にアプリ内に撮影順に収録して自己の健康情報として記録保存する。また、ＱＲコード読み取りも可能とする。救急受診時や災害時でもかかりつけ医から情報提供を受けずとも、現場で自ら情報を提示できる。【選択図】図１
2020004354.tif 000002
【特許請求の範囲】
【請求項１】
カメラ撮影やＱＲコードなどの読み取りにて個人の健康情報を入手し記録保存するアプリ
【請求項２】
インターネットによる医療情報、音楽、音声、映像、画像、文字情報の提供
【発明の詳細な説明】
【技術分野】
【０００１】本発明は、健康手帳電子版においてカメラ撮影やＱＲコードなどにての読み取りにて容易に個人の病気や健康状態を入力し、再現可能とするアプリに関するものである。
【背景技術】
【０００２】従来ある電子健康手帳類の情報入力は、医療機関が所有する電子カルテに接続しそこに含まれる個人情報を取得し表示しようとするものである。
しかし電子カルテとの接続は技術的に容易ではあるが、個人情報保護やシステム機能保持のために電子カルテを外部環境と接続することは非常に困難である。もし接続できたとしても医療知識のないものがその中からＣＴスキャンなどの画像データや検査結果などを見つけ出すことは非常に困難なことである。
【発明の概要】
【発明が解決しようとする課題】
【０００３】解決しようとする問題点は、電子カルテに接続しなくても個人の医療情報を容易に入手し記録できる点である。
【課題を解決するための手段】
【０００４】本発明は、患者さんが診察時に医師よりモニター画面に画像や検査データ、サマリーなどを表示してもらいこれをスマートフォンの当アプリを起動後にスマートフォンのカメラにて撮影すればアプリ内に自動的に撮影順に収録されるもので容易に個人の健康データを記録し保存できる点であることを最も主要な特徴とする。ＱＲコードなどにて読み取りも可能である。しかも手入力にて文章入力も可能となっている。
【発明の効果】
【０００５】本発明のスマホアプリは、自分の個人情報を得るためにいちいちカルテ開示請求を行わなくても済み、他医療機関にセカンドオピニオンを求めたい時でも担当医に遠慮せずに他医療機関に自分の医療情報を提供することができる。
また救急受診時や災害時でもかかりつけ医に情報提供を受けずとも自ら現場で情報提示が可能となるという利点がある。更に処方箋内容をスキャンする機能もあるのでお薬手帳の代わりもできる。
【図面の簡単な説明】
【０００６】
【図１】スマートフォンにて電子カルテの画像を写真撮影やＱＲコード読み取りで取り込みの実施方法を示した説明図である。（実施例１）
【図２】スマートフォンにて電子カルテの画像を写真撮影取り込みした画像をアプリ上で表示した説明図である。（実施例２）
【医療上の利用可能性】
【０００７】個人が医療データとして所持できいつでも閲覧可能。
インターネットに登録しておけば、本人承諾のもと管理者が医療データ追加も可能となる。救急や災害時に本人がスマホを携帯していなくても本人許可のもとデータベースにアクセスすれば閲覧可能である。
【図１】
2020004354.tif 000003
【図２】
2020004354.tif 000004